(57)【要約】【課題】  細菌等の感染管理上の問題を生じないミルク加温装置を提供する。【解決手段】  ミルク加温装置１は多数の哺乳瓶５０を縦姿勢で並列保持する篭体２０を収納し、温風循環路１２，１４を備えた筐体１０と、送風装置３０と、温風の温度を制御する制御装置４０とを備え、送風装置３０は発熱体３１によって加熱した温風をシロッコファン３２によって筐体１０内に循環させる。筐体１０は透明ガラス１５を備えた密閉構造の開閉自在な扉１６を備え、哺乳瓶５０はガラス１５を通して識別できる識別表示部を備えている。【選択図】        図４
2008136649.tif 000002
【特許請求の範囲】
【請求項１】
多数の哺乳瓶を縦姿勢で並列保持する仕切り篭を内蔵し哺乳瓶を加温する温風の循環路を備えた筐体と、該筐体内に温風を循環させる送風装置と、該温風の温度を制御する制御装置とを備え、前記筐体は外気を遮断する密閉構造の開閉自在な透明蓋を上面に備えたことを特徴とするミルク加温装置。
【請求項２】
前記哺乳瓶は前記透明蓋を通して識別できる識別表示部を上面に備えたことを特徴とする請求項１記載のミルク加温装置。
【発明の詳細な説明】
【技術分野】
【０００１】
本発明は、多数の乳児を預かる産院、病院等において使用する、ミルク加温装置に関する。
【背景技術】
【０００２】
近年、少子化の社会間題に係る乳幼児の環境整備の重要性が認識され、その一環として、出産から育児の過程における安全、衛生について非常に関心が深まっている。特に乳幼児のミルク授乳は産院、病院等多数の乳児を預かる現場では細心の注意を要し、負担の掛かる仕事である。
【０００３】
従来、一般に、多くの現場では授乳ミルクを加温するとか保温する場合、衛生面における実態は、育児担当者の個人的な勘や経験とか、院内のマニュアルに委ねられている。これらは必ずしも安定性や信頼性が十分でなく、バラツキが多いものである。
【０００４】
多数の乳児を保育する現場では、基本的作業として使用する哺乳瓶、乳首等の用具は、洗浄消毒保管し、調乳時にミルクを温湯で適温に調合して直ちに授乳する場合と、調乳後一時冷蔵庫等で５℃〜１０℃に冷却保存し、授乳時に湯せん器等で適温例えば人肌の温度に温めて授乳する場合とがある。多くの哺乳瓶を同時に湯せんで加熱することは、時としてミルクが洩れたりして汚れ、不衛生になることもあり、また哺乳瓶に水が付着するので、取扱い上適切でない。
このような問題に対して、医師や衛生関係者による新生児医療フォーラム等が開催されている（例えば、非特許文献１参照。）。
【０００５】
このようなフォーラム等では、例えば、
（ａ）院内感染対策をすすめる一環として細菌環境培養を採ったところ、よく問題になっている温乳器からＡ．ｂａｕｍａｎｎｉｉ，緑膿菌、Ｋ．ｐｎｅｕｍｏｎｉａｅが同定された。
【０００６】
（ｂ）以前の温乳器は、感染管理の目的で使用を中止した。現在は、ホットプレートの上にステンレスのバットを載せて、これで湯せんして母乳、ミルクを温めている。使用後のバットはその都度洗って乾かしている。また、経口が始まった児などで、臨時に母乳を解凍したり、ミルクを温めたりする際には専用の流しのシンク内に容器を入れて流水（湯）で加温している。しかし、加温する際の温度管理が曖昧であることに加えて、衛生的とは言えない。
【０００７】
（ｃ）水＋温度環境から言って、「緑膿菌・レジオネラなどが好みやすいミルク加温器」は連日使用することで、哺乳瓶が汚染された水の中で加温される。どうしてもミルク加温器を使用したい場合には数台準備して、１台の連続使用を２４〜４８時間程度に制限し、消毒乾燥時間として２〜３日以上あけて使用する必要がある。
【０００８】
（ｄ）ミルクウォーマーから取り出した哺乳瓶を授乳前にオゾン水で消毒したら菌の検出率が下がった。
【０００９】
（ｅ）温乳器の下側（金網の下側）だけにお湯を張って温めるようにするのは蒸気がミルクの瓶に付着するのでどこまで効果があるのかは不確かである。
などの問題が指摘されている。
【非特許文献１】株式会社メディカ出版発行：Ｎｅｏｎａｔａｌ  Ｃａｒｅ：２００６年４月  Ｖｏｌ．１９  Ｎｏ．４，ｐ６１〜６３
【発明の開示】
【発明が解決しようとする課題】
【００１０】
本発明は多数の乳児を預かる産院、病院等において使用する、ミルク加温装置について、温度管理、衛生面、取扱上の問題点を解決し、感染管理上の問題を全く生じないミルク加温装置を提供することを目的とするものである。
【課題を解決するための手段】
【００１１】
本発明は、上記問題点を解決するためになされたもので、次の技術手段を講じたことを特徴とするミルク加温装置である。すなわち、本発明は、多数の哺乳瓶を縦姿勢で並列保持する仕切り篭を内蔵し哺乳瓶を加温する温風の循環路を備えた筐体と、該筐体内に温風を循環させる送風装置と、該温風の温度を制御する制御装置とを備え、前記筐体は外気を遮断する密閉構造の開閉自在な透明蓋を上面に備えたことを特徴とする。
【００１２】
上記本発明において、前記哺乳瓶は前記透明蓋を通して識別できる識別表示部を上面に備えることによって、加温装置内で加温されている個々の哺乳瓶を外部から簡単に識別することができ、哺乳瓶の取出し等の取扱いにおいて錯誤や取り違え等を生ずるおそれがなく、好適である。
【発明の効果】
【００１３】
本発明のミルク加温装置は以上のように構成されているので、院内感染管理、衛生管理、温度管理、あるいは誤認の防止等に対して極めて有用であり、また、取扱者の労力の削減、注意力の向上に資するなどの優れた効果を奏する。
【発明を実施するための最良の形態】
【００１４】
以下図面を参照して本発明の実施の形態を説明する。
【００１５】
本発明は、産院、病院等、集団的に出産から育児に係る業務の環境の下で、効果的に使用されるものである。
【００１６】
図１は本発明の１実施例のミルク加温装置１を示す平面図、図２はその側面図、図３はその正面図、図４はその内部構造及び送風装置部３０を示す詳細図である。
【００１７】
図１〜図３に示すように、本発明のミルク加温装置１は、多数の哺乳瓶５０を収納する筐体１０から成っている。哺乳瓶５０は仕切り篭２０内に縦姿勢で整列収納される。筐体１０は金属又は樹脂成型品の箱形容器である。筐体１０は外気を遮断する密閉構造となっており、内部には仕切板１１によって形成した温風循環路１２，１４を備えている。そしてこの温風循環路１２，１４に温風を循環させる送風装置３０を備えている。送風装置３０は、この実施例では筐体１０の内部に設けたコンパクトな例を示しているが、筐体１０と別体であってもよい。
【００１８】
筐体１０の上面に扉１６を備え、この扉１６は把手１８によって図３に示す１６ａのように開閉することができる。扉１６は筐体１０内の各哺乳瓶５０を上方から識別することができるように透明なガラス１５を設けている。扉１６は周縁の内面側に密封用ガスケット１７を備え、扉１６を閉めたとき、筐体１０は密封空間を形成する。
【００１９】
図４は本実施例のミルク加温装置１の筐体１０の内部構造及び送風装置３０を示す説明図である。この例では、送風装置３０は筐体１０内に設けられており、発熱体３１とシロッコファン３２と電動機３３とを組み合わせたユニットである。電源コード４５によって給電される。
【００２０】
シロッコファン３２は筐体１０内の温風循環流３５を吸引し、温風吹出孔１３から温風循環路１２に温風流３４を吹出す。温風流３４は筐体１０の底部の温風循環路１２から、多数の孔を通って上昇し、多数の哺乳瓶５０を加温した後、上部の温風循環路１４を通って循環流３５となってシロッコファン３２に還流する。
【００２１】
温風循環路１２と筐体１０の外皮との間には保温材３６が詰められ温風は外気と断熱されている。
【００２２】
ミルク加温装置１には温度制御装置４０が設けられており、この例では筐体１０の上面に設けられている。温度制御装置４０は制御基板ユニット４１を備え、温度設定つまみや、デジタル表示ディスプレイ４３を備えている。
【００２３】
温度センサ４２は筐体１０内の温風の温度を測定し、その測定値を温度制御装置４０に伝達する。温度制御装置４０は、温風の温度を設定値に従って適温に自動制御する。庫内の温度測定値はデジタル表示ディスプレー４２によって確認することができる。
【００２４】
温度過昇防止器４４は温度の過上昇を防止する安全装置である。その構造、作用は公知の技術を使用している。
【００２５】
図５に哺乳瓶５０の斜視図を示した。各哺乳瓶５０は上蓋５１によって密封されている。この上蓋５１には授乳乳児の名前５２がシール５３等を用いるか又は印字等によって書き込み表示してある。ミルク加温装置１の筐体１０の上面のガラス１５を設けた扉１６を通してこの表示を透視することが出来る。このことによって、授乳児を間違えるミスを防止できるよう配慮されている。
【００２６】
本発明装置のミルク加温装置１の動作性能は、次のとおりである。
【００２７】
事前に調乳したミルク乳をそれぞれ哺乳瓶に入れ、冷蔵庫にて温度５℃〜１０℃で冷却保存しておく。哺乳瓶の上蓋には乳児の名前が表示されている。授乳予定時間の４０〜６０分前にこの哺乳瓶をミルク加温装置１の筐体１０内に移して、加温を開始する。
【００２８】
加温は例えば、図６に加温特性（特性線６０）を示すように、マイコンのプログラム設定により、立上り時に、加温を加速させるため、約１０分間最高５５℃まで加温し、その後、目標温度になるように、加温特性を設定して加温する。目標温度は最適温度とし、例えば、３６℃〜４０℃とすればよい。図６は横軸に加温時間をとり、縦軸に温度をとって加温特性を示したものである。加温が完了すると、アラーム等により告知される。
【００２９】
加温工程は水分を含まない乾燥温風によって自動的に行われる。従って、衛生的に乳幼育児の安全を確保できると共に、保育に係わる人の作業の効率化を図ることができ、水分によるトラブルを生ずることが全くない。
【図面の簡単な説明】
【００３０】
【図１】実施例の平面図である。
【図２】図１の側面図である。
【図３】図１の正面図である。
【図４】実施例の筐体の内部構造及び送風装置を示す詳細図である。
【図５】哺乳瓶の斜視図である。
【図６】加温特性を示すグラフである。
【符号の説明】
【００３１】
１    ミルク加温装置
１０    筐体
１１    仕切板
１２    温風循環路（底部）
１３    温風吹出孔
１４    温風循環路（上部）
１５    ガラス
１６    扉
１７    ガスケット
１８    把手
２０    仕切り篭
３０    送風装置
３１    発熱体
３２    シロッコファン
３３    電動機
３４    温風流
３５    循環流
３６    保温材
４０    温度制御装置
４１    制御基板ユニット
４２    温度センサ
４３    デジタル表示ディスプレイ
４４    温度過昇防止器
４５    電源コード
５０    哺乳瓶
５１    上蓋
５２    名前
５３    シール
６０    特性線
【図１】
2008136649.tif 000003
【図２】
2008136649.tif 000004
【図３】
2008136649.tif 000005
【図４】
2008136649.tif 000006
【図５】
2008136649.tif 000007
【図６】
2008136649.tif 000008